(57)【要約】【課題】ワイヤレスマイクの下端部を挿入するマイク挿入用凹部１２の開口縁を照明表示し、その位置をわかりやすくしたワイヤレスマイク用の充電器を提供する。【解決手段】筐体の上面に設けたマイク挿入用凹部１２にワイヤレスマイクの下端部を挿入してワイヤレスマイクに内蔵される蓄電池に充電するワイヤレスマイク用の充電器において、マイク挿入用凹部１２の内周面に略カップ状の透明部材１４を配設し、透明部材１４に外側に向けて突起部１４ｂを設け、突起部１４ｂの先端面を照射するように発光色の異なる２種類のＬＥＤ２４，２６を配設し、ＬＥＤ２４，２６の点灯でマイク挿入用凹部１２の開口縁が透明部材１４を通過した光で照明表示される。しかも、一方の発光色のＬＥＤ２４の点灯の強弱と他方の発光色のＬＥＤ２６の点灯により、電源を印加してワイヤレスマイクが挿入されていない状態と、充電中と、充電完了の状態をそれぞれ表示する。【選択図】      図３
2005229784.tif 000002
【特許請求の範囲】
【請求項１】
筐体の上面に設けたマイク挿入用凹部にワイヤレスマイクの下端部を挿入して前記ワイヤレスマイクに内蔵される蓄電池に充電するワイヤレスマイク用の充電器において、前記マイク挿入用凹部の内周面に透明部材を配設し、前記透明部材に光が入射するようにＬＥＤを配設し、前記ＬＥＤの点灯により前記マイク挿入用凹部の開口縁が前記透明部材を通過した光により表示されるように構成したことを特徴とするワイヤレスマイク用の充電器。
【請求項２】
請求項１記載のワイヤレスマイク用の充電器において、前記透明部材を前記ワイヤレスマイクの下端部を挿入し得る略カップ状に構成したことを特徴とするワイヤレスマイク用の充電器。
【請求項３】
請求項１または２記載のワイヤレスマイク用の充電器において、前記透明部材に外側に向けて突起部を設け、この突起部の先端面を照射するように前記ＬＥＤを配設して構成したことを特徴とするワイヤレスマイク用の充電器。
【請求項４】
請求項１記載のワイヤレスマイク用の充電器において、発光色の異なる２種類の前記ＬＥＤを配設し、一方の発光色のＬＥＤの点灯の強弱および他方の発光色のＬＥＤの点灯により、電源を印加してワイヤレスマイクが挿入されていない状態と、充電中と、充電完了の状態をそれぞれ表示するように構成したことを特徴とするワイヤレスマイク用の充電器。
【発明の詳細な説明】
【技術分野】
【０００１】
本発明は、ワイヤレスマイクの下端部が挿入される充電器のマイク挿入用凹部を、暗い室内等でも容易に視認できるようにしたワイヤレスマイク用の充電器に関するものである。
【背景技術】
【０００２】
カラオケボックス等において、マイクを持った歌い手は歌うのと同時に身振り手振りの動きを付けて楽しむことが多い。そこで、自由に動きを楽しむことのできるワイヤレスマイクが汎用されている。このワイヤレスマイクには、蓄電池が内蔵されており、時折この蓄電池への充電が必要である。
【０００３】
このワイヤレスマイク用の充電器としては、一例として、特開平０８−１６３７８４号公報に示されるごとく、充電器の筐体の上面にワイヤレスマイクの下端部分を挿入し得る有底孔などからなるマイク挿入用凹部が設けられ、ワイヤレスマイクの挿入により、ワイヤレスマイクの下端に設けられた接点端子と有底孔の底に設けられたスプリングコネクタが当接して電気的接続され、ワイヤレスマイクに内蔵された蓄電池が充電されるように構成されている。また、筐体の上面等に、電源が印加されてワイヤレスマイクが挿入されていない状態か、またはワイヤレスマイクの充電中か、さらに充電が完了した状態かなどを表示する表示手段が設けられている。
【特許文献１】特開平０８−１６３７８４号公報
【発明の開示】
【発明が解決しようとする課題】
【０００４】
ところで、上述の従来のワイヤレスマイク用の充電器にあっては、暗い室内などでは筐体の上面のマイク挿入用凹部の位置が分かりづらいものであった。なお、充電器に設けられた表示手段が点灯されていても、マイク挿入用凹部の開口縁は照明されておらず、マイク挿入用凹部の位置が必ずしも明確であるとは言い難い。
【０００５】
本発明は、かかる従来技術の事情に鑑みてなされてたもので、ワイヤレスマイクの下端部を挿入するマイク挿入用凹部の開口縁を照明することで、その位置をわかりやすくしたワイヤレスマイク用の充電器を提供することを目的とする。
【課題を解決するための手段】
【０００６】
かかる目的を達成するために、本発明のワイヤレスマイク用の充電器は、筐体の上面に設けたマイク挿入用凹部にワイヤレスマイクの下端部を挿入して前記ワイヤレスマイクに内蔵される蓄電池に充電するワイヤレスマイク用の充電器において、前記マイク挿入用凹部の内周面に透明部材を配設し、前記透明部材に光が入射するようにＬＥＤを配設し、前記ＬＥＤの点灯により前記マイク挿入用凹部の開口縁が前記透明部材を通過した光により表示されるように構成されている。
【０００７】
そして、前記透明部材を前記ワイヤレスマイクの下端部を挿入し得る略カップ状に構成しても良い。
【０００８】
さらに、前記透明部材に外側に向けて突起部を設け、この突起部の先端面を照射するように前記ＬＥＤを配設して構成することもできる。
【０００９】
また、発光色の異なる２種類の前記ＬＥＤを配設し、一方の発光色のＬＥＤの点灯の強弱および他方の発光色のＬＥＤの点灯により、電源を印加してワイヤレスマイクが挿入されていない状態と、充電中と、充電完了の状態をそれぞれ表示するように構成することも可能である。
【発明の効果】
【００１０】
請求項１記載のワイヤレスマイク用の充電器にあっては、マイク挿入用凹部の内周面に配設された透明部材によりＬＥＤの光がマイク挿入用凹部の開口縁まで導かれて照明され、開口縁が表示された状態となる。そこで、暗い室内等であっても、充電器のマイク挿入用凹部を容易に視認することができる。
【００１１】
そして、請求項２記載のワイヤレスマイク用の充電器にあっては、透明部材が略カップ状であるので、透明部材を通過した光によりマイク挿入用凹部の開口縁が照明表示され、マイク挿入用凹部の位置が明確である。
【００１２】
さらに、請求項３記載のワイヤレスマイク用の充電器にあっては、ＬＥＤの光が突起部の先端面から確実に入射するので、突起部を通過させて透明部材全体に光を効率良く導入することができる。
【００１３】
また、請求項４記載のワイヤレスマイク用の充電器にあっては、マイク挿入凹部の開口縁が照明される光の色と強弱によって、充電器に電源が印加されているがワイヤレスマイクが挿入されていない状態と、ワイヤレスマイクの充電中と、ワイヤレスマイクの充電完了の状態とをそれぞれ表示することができる。
【発明を実施するための最良の形態】
【００１４】
以下、本発明の実施例を図１ないし図６を参照して説明する。図１は、本発明のワイヤレスマイク用の充電器の一実施例の平面図である。図２は正面図である。図３は、図１の要部Ａ−Ａ矢視断面拡大図である。図４は、透明部材の外形図であり、（ａ）は正面図、（ｂ）は側面図、（ｃ）は底面図である。図５は、回路基板の要部平面図である。図６は、ＬＥＤの制御回路の一例である。
【００１５】
まず、本発明のワイヤレスマイク用の充電器１０の筐体の上面に、ワイヤレスマイクの下端部が挿入し得る有底孔などからなるマイク挿入用凹部１２，１２が設けられることは従来例と同様である。しかし、本発明にあっては、マイク挿入用凹部１２，１２の内周面に、透明樹脂等からなる略カップ状の透明部材１４，１４が配設される。この略カップ状の透明部材１４，１４の底部に、上部の径が小さい段差を有する貫通孔１４ａ，１４ａが設けられるとともに、下方外側に向けて突起部１４ｂ，１４ｂ…が一体的に形成される。そして、透明部材１４の下部に回路基板１６がネジ１８により一体的に固定される。この回路基板１６には、図５に示すごとく、貫通孔１４ａ，１４ａに臨んで端子２０，２０が配設され、貫通孔１４ａ，１４ａに上方への抜けが規制されて下端側が端子２０，２０に当接されてスプリングコネクタ２２，２２が配設される。また、回路基板１６には、透明部材１４の突起部１４ｂ，１４ｂ…の先端面を照射するように、青色のＬＥＤ２４，２４と赤色のＬＥＤ２６，２６とがそれぞれ配設される。なお、突起部１４ｂ、１４ｂ…の先端面は、一例として、ＬＥＤの照射方向に対して略直交する平面である。
【００１６】
そこで、青色のＬＥＤ２４，２４が点灯されると、青色の光は突起部１４ｂ，１４ｂの先端面から透明部材１４内に導入され、マイク挿入用凹部１２の開口縁まで導かれ、開口縁が青色に照明表示される。同様に、赤色のＬＥＤ２６，２６が点灯されると、マイク挿入用凹部１２の開口縁が赤色に照明表示される。もって、マイク挿入用凹部１２の開口縁の位置が、暗い室内等であっても確実かつ容易に認めることができる。
【００１７】
次に青色と赤色のＬＥＤ２４，２４、２６，２６の制御回路の一例につき、図６を参照して説明する。充電器１０には商用電源よりＡＣ１００Ｖが入力され、図示しない変換手段によりＤＣ６Ｖなどの適宜な直流電源電圧に変換される。この電源電圧端子Ｖｃｃは、電源スイッチＳｗを介して、一方の端子ＴＰ１（２０）とタイマー回路３０の電源端子と、直列接続された２個の赤色のＬＥＤ２６，２６のアノードと、並列接続された２個の青色のＬＥＤ２４，２４のアノードと、ＰＮＰのトランジスタＱ１のエミッタおよび抵抗Ｒ１４とＲ１２の接続点に接続される。このトランジスタＱ１のコレクタは、ＰＮＰのトランジスタＱ２のエミッタに接続されるとともに抵抗Ｒ４を介して接地される。また、トランジスタＱ１のベースは、抵抗Ｒ３を介して他方の端子ＴＲ２（２０）に接続されるとともに、抵抗Ｒ１，Ｒ６，Ｒ１８の一端にそれぞれに接続される。トランジスタＱ２のコレクタは、ＰＮＰのトランジスタＱ４のエミッタに接続されるとともにタイマー回路３０の入力端子に接続され、また抵抗Ｒ２２を介して接地される。トランジスタＱ２のベースは、抵抗Ｒ５を介してＮＰＮのトランジスタＱ３のコレクタに接続され、トランジスタＱ３のエミッタが接地され、ベースが抵抗Ｒ６の他端に接続される。トランジスタＱ４のベースは、抵抗Ｒ７を介してＮＰＮのトランジスタＱ５のコレクタに接続される。また、トランジスタＱ４のコレクタは、抵抗Ｒ９，Ｒ１０，Ｒ１１の一端にそれぞれに接続される。抵抗Ｒ９の他端は接地される。トランジスタＱ５のエミッタは接地され、ベースは抵抗Ｒ８を介してタイマー回路３０の出力端子に接続される。抵抗Ｒ１の他端は、ＮＰＮのトランジスタＱ８のコレクタに接続されるとともに、抵抗Ｒ２を介して接地される。トランジスタＱ６のコレクタは抵抗Ｒ１０の他端に接続され、エミッタは接地される。抵抗Ｒ１２の他端は、ＮＰＮのトランジスタＱ７のコレクタに接続されるとともに抵抗Ｒ１３を介してＮＰＮのトランジスタＱ８のベースに接続され、また抵抗Ｒ１７を介してＮＰＮのトランジスタＱ１０のベースに接続される。トランジスタＱ７のエミッタは接地され、ベースは抵抗Ｒ１１の他端に接続される。抵抗Ｒ１４の他端は、トランジスタＱ８のコレクタに接続されるとともに抵抗Ｒ１５を介してＮＰＮのトランジスタＱ９のベースに接続される。トランジスタＱ８のエミッタは接地される。トランジスタＱ９のエミッタは接地され、コレクタは抵抗Ｒ１６を介して直列接続された２個の赤色のＬＥＤ２６，２６のカソードに接続される。トランジスタＱ１０のコレクタは、抵抗Ｒ２０，Ｒ２１を並列に介して並列接続された２個の青色のＬＥＤ２４，２４のそれぞれのカソードに接続され、エミッタはＮＰＮのトランジスタＱ１１のコレクタに接続される。トランジスタＱ１１のベースは、抵抗Ｒ１８の他端に接続され、コレクタとエミッタ間に抵抗Ｒ１９が接続され、エミッタは接地される。
【００１８】
かかる回路回路構成において、まず電源スイッチＳｗが投入されてワイヤレスマイクが挿入されていない状態、すなわちＴＰ１，ＴＰ２間の開路状態では、トランジスタＱ３，Ｑ２がＯＦＦであり、タイマー回路３０は動作を開始しない。そして、トランジスタＱ７がＯＦＦで、トランジスタＱ１０がＯＮとなって青色のＬＥＤ２４，２４は点灯する。ここで、抵抗Ｒ３の値は、抵抗Ｒ１＋Ｒ２の値より極めて大きく設定されており、トランジスタＱ１１はＯＦＦであり、青色のＬＥＤ２４，２４に抵抗Ｒ１９が直列接続され、点灯は弱いものとなる。また、トランジスタＱ８がＯＮでトランジスタＱ９がＯＦＦとなり、赤色のＬＥＤ２６，２６は点灯されない。そして、トランジスタＱ６はＯＦＦである。
【００１９】
この電源スイッチＳｗが投入された状態でワイヤレスマイクが挿入されると、端子ＴＰ１，ＴＰ２間に蓄電池が介装され、一種の抵抗として作用し、トランジスタＱ３，Ｑ２がＯＮとなってタイマー回路３０のカウント動作が開始される。このタイマー回路３０のカウント動作で出力端子に出力される電圧によりトランジスタＱ５，Ｑ４，Ｑ７がＯＮとなり、トランジスタＱ８がＯＦＦとなってトランジスタＱ９がＯＮとなって赤色のＬＥＤ２６，２６が点灯される。また、トランジスタＱ７のＯＮにより、トランジスタＱ１０がＯＦＦとなって青色のＬＥＤ２４，２４は消灯される。さらに、トランジスタＱ６はＯＮとなって端子ＴＰ１，ＴＰ２間に大きな充電電流が流れ得る。
【００２０】
そして、ワイヤレスマイクの蓄電池が充分に充電される時間をタイマー回路３０がカウントすると、その出力端子の電圧の変化により、トランジスタＱ５，Ｑ４，Ｑ７がＯＦＦし、トランジスタＱ８がＯＮとなり、トランジスタＱ９がＯＦＦとなって赤色のＬＥＤ２６，２６は消灯する。また、トランジスタＱ７のＯＦＦにより、トランジスタＱ１０がＯＮとなって青色のＬＥＤ２４，２４が点灯する。ここで、端子ＴＰ１，ＴＰ２間に介装されるている蓄電池にはトリクル充電用の電流が流れており、トランジスタＱ１１がＯＮとなって、青色のＬＥＤ２４，２４は強く点灯する。そして、トランジスタＱ６はＯＦＦとなり、トリクル充電電流を制限している。
【００２１】
かかる回路動作により、電源スイッチＳｗが投入されてワイヤレスマイクが挿入されていない状態では、青色のＬＥＤ２４，２４が弱く点灯され、マイク挿入用凹部１２の開口縁が青色で弱く照明される。そして、ワイヤレスマイクが挿入されるならば、マイク挿入用凹部１２の開口縁は、赤色で強く照明される。さらに、充電が完了した状態になると、マイク挿入用凹部１２の開口縁は、青色で強く照明される。
【００２２】
なお、上記実施例において、透明部材１４を照明する色および光の強さによって、電源が投入されてワイヤレスマイクが挿入されていない状態と、充電中と、充電完了の状態とをそれぞれに表示しているが、かかる動作状態の表示手段を別個に設けて、透明部材１４はかかる動作状態の変化に関わりなく一定の色と光の強さで照明されても良い。また、かかる動作状態の表示は、上記実施例のごとく、赤と青の強弱による表示に限られず、赤と青の単独点灯および赤と青を同時に点灯させた紫色とによって表示しても良い。そして、ＬＥＤの発光色は赤と青に限られない。さらに、赤と青と黄などの発光色が異なる３色であっても良い。
【００２３】
また、ＬＥＤの光が透明部材１４に効率良く導入されるように透明部材１４に突起部１４ｂを設けたが、これに限られず、透明部材１４に穿設した小さな有底孔にＬＥＤが挿入されるようにしても良い。そして、透明部材１４は略カップ状に限られず、マイク挿入用凹部１２の開口縁が照明表示されれば、いかなる構造であっても良い。
【００２４】
さらに、ＬＥＤは単体で単色を発光するものに限られず、発光色が異なるＬＥＤが複数集合されて一体化されたものであっても良いことは勿論である。
【図面の簡単な説明】
【００２５】
【図１】本発明のワイヤレスマイク用の充電器の一実施例の平面図である。
【図２】正面図である。
【図３】図１の要部Ａ−Ａ矢視断面拡大図である。
【図４】透明部材の外形図であり、（ａ）は正面図、（ｂ）は側面図、（ｃ）は底面図である。
【図５】回路基板の要部平面図である。
【図６】ＬＥＤの制御回路の一例である。
【符号の説明】
【００２６】
１０  充電器
１２  マイク挿入用凹部
１４  透明部材
１４ｂ  突起部
１６  回路基板
２０  端子
２２  スプリングコネクタ
２４  青色のＬＥＤ
２６  赤色のＬＥＤ
【図１】
2005229784.tif 000003
【図２】
2005229784.tif 000004
【図３】
2005229784.tif 000005
【図４】
2005229784.tif 000006
【図５】
2005229784.tif 000007
【図６】
2005229784.tif 000008